(57)【要約】      （修正有）【課題】ＰＤＰと光学シートとを備え、質の良い映像を提供することができるＰＤＰユニット及び表示装置を提供する。【解決手段】光学シート１０の複数の層のうち少なくとも１つが、屈折率Ｎ０の材料により光を透過可能に形成され、シート面に沿って並列されるプリズム部と、プリズム部間に具備され、一方のシート面側を底辺とし、シート面の法線に対する角度がθ０である斜辺を有する三角形で、屈折率Ｎ０より小さい屈折率Ｎｂである材料を有して光吸収可能に形成された光吸収部を備える光学機能シート層１１であり、画素の映像出射側面と光学機能シート層との間に具備される層４、Ａ、５の厚さをＬｉ、層の屈折率をＮｉとし、プリズム部が並列される方向の画素の大きさをｐとしたとき、2009217032.tif 000012の関係を有する。【選択図】図５
2009217032.tif 000002
【特許請求の範囲】
【請求項１】
画素が縦横に並列されて設けられるプラズマディスプレイパネルと、
前記プラズマディスプレイパネルの映像出射側に配置され、複数の層を具備する光学シートと、を備えるプラズマディスプレイパネルユニットであって、
前記光学シートの前記複数の層のうち少なくとも１つが、
シート厚方向断面において、一方のシート面側に短い上底を、他方のシート面側に長い下底を有する台形であり、屈折率Ｎ０の材料により光を透過可能に形成され、シート面に沿って並列されるプリズム部と、
前記プリズム部間に具備され、前記一方のシート面側を底辺とし、前記シート面の法線に対する角度がθ０である斜辺を有する三角形で、前記屈折率Ｎ０より小さい屈折率Ｎｂである材料を有して光吸収可能に形成された光吸収部と、を備える光学機能シート層であり、
前記画素の映像出射側面と前記光学機能シート層との間に具備される層の厚さをＬｉ、該層の屈折率をＮｉとし、前記プリズム部が並列される方向の前記画素の大きさをｐとしたとき、
【数１】
2009217032.tif 000010
の関係を有することを特徴とするプラズマディスプレイパネルユニット。
【請求項２】
画素が縦横に並列されて設けられるプラズマディスプレイパネルと、
前記プラズマディスプレイパネルの映像出射側に配置され、複数の層を具備する光学シートと、を備えるプラズマディスプレイパネルユニットであって、
前記光学シートの前記複数の層のうち少なくとも１つが、
シート厚方向断面において、一方のシート面側に短い上底を、他方のシート面側に長い下底を有する台形であり、屈折率Ｎ０の材料により光を透過可能に形成され、シート面に沿って並列されるプリズム部と、
前記プリズム部間に具備され、前記一方のシート面側に長い下底を、前記他方のシート面側に短い上底を有するとともに、前記シート面の法線に対する角度がθ０である斜辺を有する台形で、前記屈折率Ｎ０より小さい屈折率Ｎｂである材料を有して光吸収可能に形成された光吸収部と、を備える光学機能シート層であり、
前記画素の映像出射側面と前記光学機能シート層との間に具備される所定の層の厚さをＬｉ、該層の屈折率をＮｉとし、前記プリズム部が並列される方向の前記画素の大きさをｐとしたとき、
【数２】
2009217032.tif 000011
の関係を有することを特徴とするプラズマディスプレイパネルユニット。
【請求項３】
前記光吸収部には平均粒径が１μｍ以上の光吸収粒子が含有されていることを特徴とする請求項１又は２に記載のプラズマディスプレイパネルユニット。
【請求項４】
前記光吸収部には黒色顔料、又は染料が含有されていることを特徴とする請求項１又は２に記載のプラズマディスプレイパネルユニット。
【請求項５】
前記黒色顔料はカーボンブラックであることを特徴とする請求項４に記載のプラズマディスプレイパネルユニット。
【請求項６】
前記光吸収部は、該光吸収部を構成する材料のみで形成された６μｍ厚さのシートの透過率測定において、透過率が７０％以下となるような光吸収性能を有するように構成されていることを特徴とする請求項１〜５のいずれか一項に記載のプラズマディスプレイパネルユニット。
【請求項７】
前記プリズム部の前記短い上底の長さは、前記プリズム部の並列のピッチの５０％〜９０％であることを特徴とする請求項１〜６のいずれか一項に記載のプラズマディスプレイパネルユニット。
【請求項８】
前記θ０が０度より大きく１０度以下であることを特徴とする請求項１〜７のいずれか一項に記載のプラズマディスプレイパネルユニット。
【請求項９】
前記Ｎ０及び前記Ｎｂのいずれもが１．４９〜１．５６の値であることを特徴とする請求項１〜８のいずれか一項に記載のプラズマディスプレイパネルユニット。
【請求項１０】
前記Ｎ０と前記Ｎｂとの差が０より大きく０．０７以下であることを特徴とする請求項１〜９のいずれか一項に記載のプラズマディスプレイパネルユニット。
【請求項１１】
請求項１〜１０のいずれか一項に記載のプラズマディスプレイパネルユニットが備えられることを特徴とする表示装置。
【発明の詳細な説明】
【技術分野】
【０００１】
本発明は、表示装置に用いられるプラズマディスプレイパネルユニット、及び該プラズマディスプレイパネルユニットを備える表示装置に関し、詳しくは、ゴーストを低減させることができるプラズマディスプレイパネルユニット、及び表示装置に関する。
【背景技術】
【０００２】
プラズマディスプレイパネル（以下、「ＰＤＰ」と記載することがある。）を用いたプラズマテレビ等の表示装置では、映像源であるＰＤＰ、及び該ＰＤＰよりも観察者側に配置される光学シートを備えている。当該ＰＤＰ、光学シート、及びその他各種機能を備える部材によりプラズマディスプレイユニットが構成される。そして当該プラズマディスプレイユニットを配置して、プラズマテレビ等の表示装置とされる。
【０００３】
ＰＤＰは映像源であり、観察者に提供される映像を出射するものである。一方、光学シートは、より質の高い映像を観察者に提供する役割を有し、そのために、各種機能を有する層が積層されて成る場合が多い。
【０００４】
特許文献１には従来の光学シートの１つの例が開示されている。これによれば、光学シートには透明樹脂材質の基板と、基板の一面に平行に配列された多数の楔形ブラックストライプと、を有する外光遮蔽層を備え、コントラスト及び可視光線透過率を向上させることができる。
【特許文献１】特開２００６−１８９８６７号公報
【発明の開示】
【発明が解決しようとする課題】
【０００５】
しかしながら、特許文献１等に記載される従来の光学シートでは、該光学シートが配置される映像源との関係が考慮されていなかった。これにより、このような光学シートを用いても必ずしも適切な映像を出射することができず、特にゴーストが発生することによる不具合を生じる場合があった。
【０００６】
そこで本発明は上記問題点に鑑み、プラズマディスプレイパネルと光学シートとを備え、質の良い映像を提供することができるプラズマディスプレイパネルユニット及び表示装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、画素（３ａ、３ａ、…）が縦横に並列されて設けられるプラズマディスプレイパネル（２）と、プラズマディスプレイパネルの映像出射側に配置され、複数の層を具備する光学シート（１０、３０）と、を備えるプラズマディスプレイパネルユニット（１、２１）であって、光学シートの複数の層のうち少なくとも１つが、シート厚方向断面において、一方のシート面側に短い上底を、他方のシート面側に長い下底を有する台形であり、屈折率Ｎ０の材料により光を透過可能に形成され、シート面に沿って並列されるプリズム部（１２、１２、…）と、プリズム部間に具備され、一方のシート面側を底辺とし、シート面の法線に対する角度がθ０である斜辺を有する三角形で、屈折率Ｎ０より小さい屈折率Ｎｂである材料を有して光吸収可能に形成された光吸収部（１３、１３、…）と、を備える光学機能シート層（１１）であり、画素の映像出射側面と光学機能シート層との間に具備される層（４、Ａ、５）の厚さをＬｉ、該層の屈折率をＮｉとし、プリズム部が並列される方向の前記画素の大きさをｐとしたとき、
【０００９】
【数１】
2009217032.tif 000003
の関係を有することを特徴とするプラズマディスプレイパネルユニットを提供することにより前記課題を解決する。
【００１０】
請求項２に記載の発明は、画素が縦横に並列されて設けられるプラズマディスプレイパネルと、プラズマディスプレイパネルの映像出射側に配置され、複数の層を具備する光学シートと、を備えるプラズマディスプレイパネルユニットであって、光学シートの複数の層のうち少なくとも１つが、シート厚方向断面において、一方のシート面側に短い上底を、他方のシート面側に長い下底を有する台形であり、屈折率Ｎ０の材料により光を透過可能に形成され、シート面に沿って並列されるプリズム部と、プリズム部間に具備され、一方のシート面側に長い下底を、他方のシート面側に短い上底を有するとともに、シート面の法線に対する角度がθ０である斜辺を有する台形で、屈折率Ｎ０より小さい屈折率Ｎｂである材料を有して光吸収可能に形成された光吸収部と、を備える光学機能シート層であり、画素の映像出射側面と光学機能シート層との間に具備される層の厚さをＬｉ、該層の屈折率をＮｉとし、プリズム部が並列される方向の画素の大きさをｐとしたとき、
【００１１】
【数２】
2009217032.tif 000004
の関係を有することを特徴とするプラズマディスプレイパネルユニットを提供することにより前記課題を解決する。
【００１２】
請求項３に記載の発明は、請求項１又は２に記載のプラズマディスプレイパネルユニット（１、２１）における光吸収部（１３、１３、…）には平均粒径が１μｍ以上の光吸収粒子（１５、１５、…）が含有されていることを特徴とする。
【００１３】
ここで「平均粒径が１μｍ以上」であることにおける「平均粒径が１μｍ」とは、重量分布法による粒度測定で、粒径が０．５μｍ以上で、１．５μｍより小さい粒子を対象とし、粒度分布において標準偏差が０．３以上であることを意味する。
【００１４】
請求項４に記載の発明は、請求項１又は２に記載のプラズマディスプレイパネルユニットにおける光吸収部には黒色顔料、又は染料が含有されていることを特徴とする。
【００１５】
請求項５に記載の発明は、請求項４に記載のプラズマディスプレイパネルユニットにおける黒色顔料はカーボンブラックであることを特徴とする。
【００１６】
請求項６に記載の発明は、請求項１〜５のいずれか一項に記載のプラズマディスプレイパネルユニット（１、２１）における光吸収部（１３、１３、…
）は、該光吸収部を構成する材料のみで形成された６μｍ厚さのシートの透過率測定において、透過率が７０％以下となるような光吸収性能を有するように構成されていることを特徴とする。
【００１７】
請求項７に記載の発明は、請求項１〜６のいずれか一項に記載のプラズマディスプレイパネルユニット（１、２１）におけるプリズム部（１２、１２、…）の短い上底の長さは、プリズム部の並列のピッチの５０％〜９０％であることを特徴とする。
【００１８】
請求項８に記載の発明は、請求項１〜７のいずれか一項に記載のプラズマディスプレイパネルユニット（１、２１）におけるθ０が０度より大きく１０度以下であることを特徴とする。
【００１９】
請求項９に記載の発明は、請求項１〜８のいずれか一項に記載のプラズマディスプレイパネルユニット（１、２１）におけるＮ０及びＮｂのいずれもが１．４９〜１．５６の値であることを特徴とする。
【００２０】
請求項１０に記載の発明は、請求項１〜９のいずれか一項に記載のプラズマディスプレイパネルユニット（１、２１）におけるＮ０とＮｂとの差が０より大きく０．０７以下であることを特徴とする。
【００２１】
請求項１１に記載の発明は、請求項１〜１０のいずれか一項に記載のプラズマディスプレイパネルユニット（１、２１）が備えられることを特徴とする表示装置（１９）を提供することにより前記課題を解決する。
【発明の効果】
【００２２】
本発明のプラズマディスプレイパネルユニット、及び表示装置によれば、特に正面視におけるゴーストの発生を抑制することができる。
【００２３】
本発明のこのような作用及び利得は、次に説明する発明を実施するための最良の形態から明らかにされる。
【発明を実施するための最良の形態】
【００２４】
以下本発明を図面に示す実施形態に基づき説明する。
【００２５】
図１は第一実施形態にかかる本発明のプラズマディスプレイパネルユニット（以下、「ＰＤＰユニット」と記載することがある。）１の断面を示し、その層構成を模式的に表した図である。図１では、見易さのため、繰り返しとなる符号は一部省略することがある（以降に示す各図において同じ。）。ＰＤＰユニット１は、プラズマディスプレイパネル（以下、「ＰＤＰ」と記載することがある。）２、電磁波遮断層５、及び光学シート１０を備えている。また、ＰＤＰ２と電磁波遮断層５との間には間隙が設けられ、ここは空気層Ａとされている。
【００２６】
ＰＤＰ２は、発光部３と、ガラス層４とを備えている。発光部３は縦横（紙面上下及び奥／手前方向）に並列した画素３ａ、３ａ、…を有し、各画素３ａ、３ａ、…から映像光が出射される。ガラス層４は、透光性を有する薄板状のガラスが発光部３の映像出射側面に積層されるように配置されている。
【００２７】
電磁波遮断層５は、光学シート１０のＰＤＰ２側に積層される層であり、電磁波を遮断する機能を有する層である。電磁波遮断層５は、透光性を有するとともにＰＤＰ２から発生する電磁波を遮断する役割を有するフィルムが配置された層である。かかる目的のフィルムであればその種類は特に限定されるものではないが、通常入手可能な当該フィルムとして、例えば金属メッシュによるもの、及び透明導電膜によるものを挙げることができる。
【００２８】
光学シート１０は、光学機能シート層１１と、基材層としてのＰＥＴフィルム層１６と、粘着剤層１７とを備えて形成されている。上記各層は図１で示した断面を維持して紙面奥／手前方向に延在する。図２に光学シート１０のみの断面を示し、その層構成を模式的に示した。以下に各層について説明する。
【００２９】
光学機能シート層１１は、光学シート１０のシート面に直交する断面において断面が略台形で、シート面に沿って並列されるプリズム部１２、１２、…と、該プリズム部１２、１２、…の間に配置された光吸収部１３、１３、…とを備えている。図３に１つの光吸収部１３及びこれに隣接するプリズム部１２、１２に着目した拡大図を示した。図１〜図３、及び適宜示した図を参照しつつ光学機能シート層１１について説明する。
【００３０】
プリズム部１２、１２、…は、ＰＤＰ２が配置される側に上底、これとは反対のシート面側に下底を有する略台形断面を有する要素である。また、プリズム部１２、１２、…は、屈折率がＮ０である光透過性樹脂で構成されている。これにより、プリズム部１２、１２、…内を映像光が透過し、観察者に映像光が提供される。これは通常、電離放射線、紫外線等により硬化する特徴を有する例えばエポキシアクリレート等により形成されている。Ｎ０の大きさは特に限定されることはないが材料の入手性の観点から１．４９〜１．５６であることが好ましい。また、プリズム部１２、１２、…の上底の長さ（図２にＢで示した距離）は、当該プリズム部１２、１２、…が並列されるピッチ（図２にＣで示した距離）に対して５０％〜９０％であることが好ましい。
【００３１】
光吸収部１３、１３、…は、プリズム部１２、１２、…の間に配置される要素である。従って光吸収部１３、１３、…はプリズム部１２、１２、…の上底側を底辺とし、これに対向する頂点をプリズム部１２、１２、…の下底側とする略三角形である。当該三角形における斜辺（シート厚さ方向に延在する２つの辺）は、図３に示したようにシート面の法線に対してθ０の角度を有して形成されている。該光吸収部１３、１３、…は、屈折率がＮｂである透光性のある物質が充填されたバインダー部１４と、該バインダー部１４に分散混入された光吸収粒子１５、１５、…とを備えている。
【００３２】
バインダー部１４に充填されるバインダー材は特に限定されるものではない。上記のように透光性を有しつつも顔料や染料が混入されて着色されていてもよい。顔料としては、例えばカーボンブラックを挙げることができる。材料も特に限定されるものではないが、生産性の観点から電離放射線、紫外線等により硬化する特徴を有するウレタンアクリレート等により形成されることが好ましい。また、当該バインダー材は、その屈折率Ｎｂがプリズム部１２、１２、…の屈折率Ｎ０より小さい材料により構成されることが好ましい。Ｎｂの大きさは特に限定されることはないが材料の入手性の観点から１．４９〜１．５６であることが好ましく、Ｎ０とＮｂとの屈折率の差は、０より大きく０．０７以下であることがさらに好ましい。
【００３３】
当該屈折率差と映像光の入射角との関係により、該映像光の一部又は全部は光吸収部１３、１３、…に入射せずにその界面で反射することができ、これは観察者に提供されるので、明るい映像を提供することが可能となる。
【００３４】
光吸収粒子１５、１５、…は、入手性及び取扱いの観点から平均粒径が１μｍ以上の粒子が好ましく、これはカーボン等の顔料又は黒、赤、青、黄等の染料にて所定の濃度に着色されている。これには例えば市販の着色樹脂微粒子を使用することもできる。当該光吸収粒子１５、１５、…の屈折率Ｎｒは特に限定されるものではない。光吸収部１３、１３、…に入射した外光の一部が当該光吸収粒子１５、１５、…に吸収されることにより映像のコントラストを向上させることができる。
【００３５】
ここで、光吸収部１３、１３、…の光吸収性能は目的によって適宜調整可能であるが、該光吸収部を構成する材料のみで形成された６μｍ厚さのシートの透過率測定において、透過率が７０％以下となるような光吸収性能を有するように構成されていることが好ましい。透過率が７０％以下とするための手段は特に限定されるものではないが、例えば光吸収粒子の含有量や光吸収性能を調整して適用することを挙げることができる。
【００３６】
光吸収部１３、１３、…の斜辺の角度θ０の大きさは、後述する式を満たす角度内で設定される。これにより、特に画面の正面視においてゴーストが抑制され、質の高い映像を提供することが可能となる。当該θ０の大きさは上記の要件を満たしつつ、０度より大きく１０度以下であることが好ましい。
【００３７】
光学機能シート層１１の形状は、図１〜図３に示したように、プリズム部１２、１２、…が略台形断面を有し、これらに挟まれて形成される光吸収部１３、１３、…は三角形断面を有している。しかし、適切に光を制御することができれば、これら形状は特に限定されることなく適宜適切な形状が採用される。例えば、該形状が台形であってもよい。図４に、光吸収部が台形である例における光学機能シート層１１’の光吸収部１３’及びこれに隣接するプリズム部１２’、１２’を示した。この形態では図４のように光吸収部１３’が台形であり、このときには該台形における長い底辺（下底）をＰＤＰ２（図１参照、紙面左側）側に、短い底辺をＰＤＰ２とは反対側（図１参照、紙面右側）に配置することができる。ここで図４にＤで示した上底の長さは２〜２５μｍの範囲であることが好ましい。この場合でも該台形の斜辺（上底と下底との間に配置される２つの辺）は、シート面法線に対してθ０の角度を有して形成される。
【００３８】
図２に戻り、光学シート１０の他の部分の構成について説明する。ＰＥＴフィルム層１６は、該ＰＥＴフィルム層１６上に上記光学機能シート層１１を形成するためのベースとなるフィルム層で、ＰＥＴを主成分として形成されている。当該ＰＥＴフィルム層１６はＰＥＴを主成分として含有していれば良く、他の樹脂が含まれてもよい。ここで主成分とはＰＥＴフィルム層全体に対して５０質量％以上含まれる成分を意味する。また、各種添加剤を適宜な量添加してもよい。一般的な添加剤としては、フェノール系等の酸化防止剤、ラクトン系等の安定剤等を挙げることができる。
【００３９】
粘着剤層１７は、後述するように例えばプラズマテレビ１９（図８参照）に配置される他のシートや部材に光学シート１０を接着させるための粘着剤が配置された層である。粘着剤層１７に用いられる粘着剤は光を透過するとともに、適切に光学シート１０を他に接着させることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００４０】
光学シート１０は、例えば次のように製造される。ＰＥＴフィルム層１６、の一面側に、プリズム部の材料となる液状体を塗布する。次に、プリズム部形状を形成するロール金型とＰＥＴフィルムとの間に、上記プリズム部となる材料を挟んだ状態で紫外線を照射することにより硬化させてプリズム部１２、１２、…を形成する。そして、プリズム部１２、１２、…の間に、バインダー部の材料となる樹脂中に黒色の光吸収粒子が添加された液状体を充填し、スキージする等して余分な材料を取り除くとともに、紫外線を照射することで硬化させて光吸収部１３、１３、…を形成する。これにより光学機能シート層１１が製造される。このように製造された光学機能シート層１１に上記粘着剤層１７が積層される。
【００４１】
ここでＰＤＰユニット１の光学シート１０に具備される基材層については、必ずしもＰＥＴを材料とすることはなく、その他にもポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からＰＥＴを主成分とする樹脂が好ましい材料であるとして説明した。
【００４２】
また、光学シート１０には、上記の他、反射を防止するフィルム層、帯電を防止するフィルム層、防眩を目的とするフィルム層等の機能フィルム層が備えられてもよい。
【００４３】
ＰＤＰユニット１は、ＰＤＰ２の発光部３と光学機能シート層１１との間に、ガラス層４、空気層Ａ、及び電磁波遮断層５が備えられた例であるが、ここに具備される層はこれに限定されることなく、必要に応じて増減することができる。例えばここにさらに色調を補正する層を備えてもよい。
【００４４】
さらに詳しくＰＤＰユニット１の構成について説明する。図５は図１と同じ視点の図で、ここに配置される各部材の関係を説明するための図である。ここでは見易さのため図１に記載した符号の一部は省略している。図５に示したように、ある画素３ａから出射し、光学シート１０のシート面法線に平行に出射される光線Ｅを例に説明する。ここで、ガラス層４の屈折率をＮ１、厚さをＬ１とし、ガラス層４の内側を通過する光線Ｅはガラス層４の法線に対して角度θ１の角度を有している。また、空気層Ａの屈折率をＮ２（＝１）、厚さをＬ２とし、空気層Ａの内側を通過する光線Ｅは空気層Ａの法線に対して角度θ２の角度を有している。さらに、電磁波遮断層５の屈折率をＮ３、厚さをＬ３とし、電磁波遮断層５の内側を通過する光線Ｅは、該電磁波遮断層５の法線に対して角度θ３の角度を有している。
【００４５】
光線Ｅは、発光部３の画素３ａから出射されて観察者に到達するまでに、ＰＤＰユニット１の厚さ方向（図５の紙面左右方向）に移動する他、プリズム部１２、１２、…が並列される方向（図５の紙面上下方向）にも距離ｘ（図５参照）移動する。当該距離ｘは概ね、各層（ガラス層４、空気層Ａ、電磁波遮断層５）における移動距離の和で表すことができ、具体的には、次式１で表される。
ｘ＝Ｌ１ｔａｎθ１＋Ｌ２ｔａｎθ２＋Ｌ３ｔａｎθ３      （式１）
さらに、図５に示した層に限らず、他の層がここに積層されてもよいので、これを考慮して、式２のように表すことができる。
【００４６】
【数３】
2009217032.tif 000005
【００４７】
一方、スネルの法則により、
Ｎ１ｓｉｎθ１＝Ｎ２ｓｉｎθ２＝Ｎ３ｓｉｎθ３＝Ｎ０ｓｉｎ（２θ０）  （式３）
の関係が成立する。ここで、Ｎ０ｓｉｎ（２θ０）の（２θ０）は、図６に示したように、光線Ｅはプリズム部１２に入射し、光吸収部１３の斜辺で反射して、光学シート１０の法線と平行な光線として出射するので、該プリズム部１２へ入射するときの角度が２θ０であることによるものである。
従って、ある屈折率Ｎｉ及び角度θｉに対して、
Ｎｉｓｉｎθｉ＝Ｎ０ｓｉｎ（２θ０）      （式４）
が成り立つ。そして、式４を変形することにより、
θｉ＝ｓｉｎ−１（（Ｎ０／Ｎｉ）ｓｉｎ（２θ０））      （式５）
を得る。
【００４８】
さらに、式５を式２に代入することにより、式６を得る。
【００４９】
【数４】
2009217032.tif 000006
【００５０】
ここで、距離ｘは、画素３ａの光吸収部１３、１３、…が並列される方向の長さｐ（図５参照）との関係が、
ｘ≦ｐ      （式７）
であることにより、ゴーストを抑制することができる。ｘ＞ｐであると、他の画素から当該レンズ部に入射する光線（映像光）が多くなることを意味し、これはゴースト発生の一要因となるからである。
従って、式６及び式７から、式８を得ることができる。
【００５１】
【数５】
2009217032.tif 000007
【００５２】
以上のような関係を有するＰＤＰユニット１によりゴーストの発生を抑制することができる。
【００５３】
図７は、第二実施形態に係る本発明のＰＤＰユニット２１の断面を示し、その層構成を模式的に表した図である。ＰＤＰユニット２１は、ＰＤＰ２、及び光学シート３０を備え、当該光学シート３０はＰＤＰ２に直接積層されている。従って、ＰＤＰユニット２１では、上記したＰＤＰユニット１に備えられていた空気層Ａ（間隙）を有していない。
【００５４】
ＰＤＰユニット２１のＰＤＰ２については、上記したＰＤＰユニット１に備えられるＰＤＰ２と共通するので、説明を省略する。光学シート３０は、光学機能シート層３１、基材層としてのＰＥＴフィルム層３６、及び粘着剤層３７を備えている。光学シート３０では、粘着剤層３７が光学機能シート層３１のＰＤＰ２側に配置される点で光学シート１０と異なる。これにより、光学シート３０をＰＤＰ２に直接積層することができる。各層については、光学シート１０の光学機能シート層１１、ＰＥＴフィルム層１６、及び粘着剤層１７の説明と共通するので、ここでは説明を省略する。
【００５５】
ここでは、ＰＤＰ２に直接光学シート３０を積層する例を示したが、これに限定されることなく、ＰＤＰと光学シートとの間に他のフィルム層、例えば電磁波遮断層等が具備されていてもよい。
【００５６】
次に、ＰＤＰユニット１が表示装置であるプラズマテレビ１９に取り付けられた時の構成について説明する。図８はＰＤＰユニット１がプラズマテレビ１９に備えられたときの該ＰＤＰユニット１が配置される部分に注目して示した断面図である。図８では紙面右が観察者側である。
【００５７】
図８に示したように、ＰＤＰユニット１がプラズマテレビ１９に備えられる際に、粘着剤層１７の観察者側には、例えばＡＳ、ＡＲの機能を有する各種層（６、７）が設けられている。ここで、「ＡＳ」とは「アンチスタティック」の略で帯電防止機能をいい、「ＡＲ」とは「アンチリフレクション」の略で光の反射率を抑える機能を意味する。またＡＲの代わりに画面のぎらつきを防止することができる「ＡＧ（アンチグレア）」層が設けられてもよい。
【００５８】
ここでは、他に備えられる層としてＡＲ、ＡＳの各種層を例に挙げたが、その他必要に応じてさらに他の機能を有する層を備えることができる。これには例えば、色調を補正する層等を挙げることができる。
【００５９】
以上のような構成を備えるＰＤＰユニットに関して、以下に実施例を示し、さらに詳しく説明する。ただし、本発明は実施例の範囲に限定されるものではない。
【実施例】
【００６０】
表１に示す４つの例のＰＤＰユニットを製作してゴーストの発生について調べた。表１中に示した「Ｎ１、Ｎ２、Ｎ３、Ｎ０、Ｌ１、Ｌ２、Ｌ３、θ０」は図５に示した記号と同じものを意味する。
【００６１】
【表１】
2009217032.tif 000008
【００６２】
実施例１、比較例１は図１に示したような空気層を有する例、実施例２、比較例２は図７に示したような空気層を有しない例である。ゴーストの発生の有無は、目視によりおこなった。
【００６３】
表２に結果を示す。ここでゴースト発生の程度が小さい場合には「低」で、ゴーストの発生が大きい場合には「高」を記載した。
【００６４】
【表２】
2009217032.tif 000009
【００６５】
これによれば、ｐ＝ｘの場合におけるθ０よりも実際のθ０を小さくした時にはゴーストの発生の程度を低く抑えることができる。逆にθ０を大きくした時にはゴーストの発生の程度が高くなる。
【００６６】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うＰＤＰユニット、及び表示装置も本発明の技術的範囲に包含されるものとして理解されなければならない。
【図面の簡単な説明】
【００６７】
【図１】第一実施形態にかかる本発明のＰＤＰユニットの断面を示し、その層構成を模式的に表した図である。
【図２】図１に示したＰＤＰユニットに備えられる光学シートを拡大して示した図である。
【図３】図２に示した光学シートの一部を拡大して示した図である。
【図４】光学シートの光吸収部が台形である例を示した図である。
【図５】各構成要素の関係を説明するための図である。
【図６】各構成要素の関係を説明するための他の図である。
【図７】第二実施形態にかかる本発明のＰＤＰユニットの断面を示し、その層構成を模式的に表した図である。
【図８】本発明のＰＤＰユニットがプラズマテレビに取り付けられた例を説明するための図である。
【符号の説明】
【００６８】
１、２１  プラズマディスプレイパネルユニット（ＰＤＰユニット）
２  プラズマディスプレイパネル（ＰＤＰ）
１０、３０  光学シート
１１、３１  光学機能シート層
１２  プリズム部
１３  光吸収部
１４  バインダー部
１５  光吸収粒子
１６、３６  ＰＥＴフィルム層
１７、３７  粘着剤層
１９  プラズマテレビ（表示装置）
【図１】
2009217032.tif 000013
【図２】
2009217032.tif 000014
【図３】
2009217032.tif 000015
【図４】
2009217032.tif 000016
【図５】
2009217032.tif 000017
【図６】
2009217032.tif 000018
【図７】
2009217032.tif 000019
【図８】
2009217032.tif 000020